(57)【要約】【課題】災害への対応が可能なネームプレートを提供する。【解決手段】ネームプレート１００は、表示部１４０と、親機２００と通信する通信部１３０と、制御部１１０とを備える。制御部１１０は、親機２００との通信が途絶したときに、非災害時の動作モードである通常時モードから、災害時の動作モードである災害時モードに切り換える。制御部１１０は、通常時モードにおいて、ユーザーの名前を表示するように表示部１４０を制御し、災害時モードにおいて、避難場所を示す情報を含む災害時情報を表示するように表示部１４０を制御する。【選択図】図１
2020052529.tif 000002
【特許請求の範囲】
【請求項１】
表示部と、
親機と通信する通信部と、
制御部と
を備えたネームプレートであって、
前記制御部は、前記親機との通信が途絶したときに、非災害時の動作モードである通常時モードから、災害時の動作モードである災害時モードに切り換え、
前記制御部は、前記通常時モードにおいて、ユーザーの名前を表示するように前記表示部を制御し、前記災害時モードにおいて、避難場所を示す情報を含む災害時情報を表示するように前記表示部を制御する、ネームプレート。
【請求項２】
前記制御部は、前記災害時モードにおいて、前記ユーザーに割り当てられた避難場所の情報を含む個人情報を前記表示部が表示するように制御する、請求項１に記載のネームプレート。
【請求項３】
前記通信部は、前記ユーザーとは異なる他のユーザーが所持する他のネームプレートと通信する機能を更に有し、
前記制御部は、前記他のネームプレートから前記他のユーザーの名前を取得するように前記通信部を制御する、請求項１又は請求項２に記載のネームプレート。
【請求項４】
前記通信部は、特定の連絡場所においてサーバーと通信する機能を更に有し、
前記制御部は、前記ユーザーが前記連絡場所に立ち寄ったことを示す情報を前記サーバーへ送るように前記通信部を制御する、請求項１から請求項３のいずれか１項に記載のネームプレート。
【請求項５】
前記通信部は、特定の連絡場所においてサーバーと通信する機能を更に有し、
前記制御部は、事前に登録した人物の安否情報を前記サーバーから取得するように前記通信部を制御する、請求項１から請求項３のいずれか１項に記載のネームプレート。
【請求項６】
前記通信部は、特定の連絡場所においてサーバーと通信する機能を更に有し、
前記制御部は、前記ユーザーが前記他のユーザーに出会ったことを示す情報を前記サーバーへ送るように前記通信部を制御する、請求項３に記載のネームプレート。
【発明の詳細な説明】
【技術分野】
【０００１】
本発明は、ネームプレートに関する。
【背景技術】
【０００２】
特許文献１に記載のネームプレートは、液晶表示部と、通信部とを備える。このネームプレートは、電子式キャッシュレジスター、タイムレコーダー、パーソナルコンピューター、複写機、ワードプロセッサーのような電子機器との間でデータの送受信を行う。
【先行技術文献】
【特許文献】
【０００３】
【特許文献１】特開昭６３−３１２７２７号公報
【発明の概要】
【発明が解決しようとする課題】
【０００４】
特許文献１に記載のネームプレートは、地震、火山の噴火、河川の氾濫のような災害に対する対応を想定していなかった。
【０００５】
本発明は、災害への対応が可能なネームプレートを提供することを目的とする。
【課題を解決するための手段】
【０００６】
本発明のネームプレートは、表示部と、親機と通信する通信部と、制御部とを備える。前記制御部は、前記親機との通信が途絶したときに、非災害時の動作モードである通常時モードから、災害時の動作モードである災害時モードに切り換える。前記制御部は、前記通常時モードにおいて、ユーザーの名前を表示するように前記表示部を制御し、前記災害時モードにおいて、避難場所を示す情報を含む災害時情報を表示するように前記表示部を制御する。
【発明の効果】
【０００７】
本発明によれば、災害への対応が可能なネームプレートを提供することができる。
【図面の簡単な説明】
【０００８】
【図１】実施形態に係るネームプレートの構成の一例を示す図である。
【図２】通常時モードにおける表示部の表示の一例を示す図である。
【図３】災害時モードにおけるメニュー画面の一例を示す図である。
【図４】災害時モードにおける個人情報の表示の一例を示す図である。
【図５】災害時モードにおける個人情報の表示の他の例を示す図である。
【図６】災害時モードにおけるネームプレート間通信を説明する図である。
【図７】災害時モードにおける連絡場所通信を説明する図である。
【図８】制御部の処理の一例を示すフローチャートである。
【発明を実施するための形態】
【０００９】
以下、本発明の実施形態について、図１〜図８を参照しながら説明する。なお、図中、同一又は相当部分については同一の参照符号を付して説明を繰り返さない。
【００１０】
まず、図１を参照して、実施形態に係るネームプレート１００について説明する。図１は、実施形態に係るネームプレート１００の構成の一例を示す図である。
【００１１】
図１に示すように、ネームプレート１００は、制御部１１０と、記憶部１２０と、通信部１３０と、表示部１４０とを備え、不図示のバッテリーで駆動されている。
【００１２】
制御部１１０は、ＣＰＵ（Ｃｅｎｔｒａｌ  Ｐｒｏｃｅｓｓｉｎｇ  Ｕｎｉｔ）のようなプロセッサーを含む。記憶部１２０は、記憶装置を含み、データ及びコンピュータープログラムを記憶する。記憶部１２０は、書き換え可能な不揮発性半導体メモリーのような記憶装置を含む。制御部１１０のプロセッサーは、記憶部１２０の記憶装置に記憶されたコンピュータープログラムを実行することによって、ネームプレート１００の各構成を制御する。
【００１３】
通信部１３０は、親機との通信と、ネームプレート間の通信と、特定の連絡場所におけるサーバーとの通信とを実行する。そのため、通信部１３０は、例えば無線ＬＡＮ（Ｌｏｃａｌ  Ａｒｅａ  Ｎｅｔｗｏｒｋ）の機能を有する。
【００１４】
表示部１４０は、ユーザーに対して情報を表示するとともに、ユーザーからの入力を受け付ける。そのため、表示部１４０は、例えばタッチパネル１４５を有する電子ペーパーで構成される。
【００１５】
次に、図２を参照して、ネームプレート１００の通常時モードにおける動作を説明する。図２は、通常時モードにおける表示部１４０の表示の一例を示す図である。
【００１６】
図２に示すように、制御部１１０は、非災害時の動作モードである通常時モードにおいて、ユーザーの肖像、名前及び所属を表示するように表示部１４０を制御する。また、制御部１１０は、所定の時間間隔で親機２００と通信するように通信部１３０を制御する。なお、表示部１４０への表示のためのデータは、予め記憶部１２０に記録されている。
【００１７】
制御部１１０は、親機２００との通信が途絶したときに、通常時モードから、災害時の動作モードである災害時モードに切り換える。
【００１８】
次に、図３〜図７を参照して、ネームプレート１００の災害時モードにおける動作を説明する。図３は、メニュー画面の一例を示す図である。
【００１９】
図３に示すように、制御部１１０は、災害時メニューの画面を表示するように表示部１４０を制御する。災害時メニューは、第１個人情報表示と、第２個人情報表示と、ネームプレート間通信と、連絡場所通信とを含む。災害時メニューは、メニュースイッチ１０１を更に含む。メニュースイッチ１０１は、災害時モードにおける他の画面を図３の災害時メニュー画面に戻すためのスイッチである。ユーザーは、タッチパネル１４５を操作することにより、第１個人情報表示と、第２個人情報表示と、ネームプレート間通信と、連絡場所通信とのうちのいずれかを選択する。
【００２０】
次に、図４を参照して、災害時メニューにおいて第１個人情報表示が選択された場合の、ネームプレート１００の動作について説明する。図４は、第１個人情報の表示の一例を示す図である。
【００２１】
図４に示すように、制御部１１０は、災害時情報を表示するように表示部１４０を制御する。災害時情報は、ユーザーの名前、住所、血液型、家族構成、持病、かかりつけ病院名、及びユーザーに割り当てられた避難場所をそれぞれ示す個人情報を含む。災害時情報は、複数のユーザーに共通の連絡場所に関する情報を更に含む。なお、表示部１４０への表示のためのデータは、予め記憶部１２０に記録されている。
【００２２】
次に、図５を参照して、災害時メニューにおいて第２個人情報表示が選択された場合の、ネームプレート１００の動作について説明する。図５は、第２個人情報の表示の一例を示す図である。
【００２３】
図５に示すように、制御部１１０は、災害時情報を表示するように表示部１４０を制御する。災害時情報は、ユーザーの名前、住所、持病、かかりつけ病院名、第１事前登録人物、第２事前登録人物、及び第３事前登録人物をそれぞれ示す個人情報を含む。第１〜第３事前登録人物とは、安否情報を取得するようにユーザーが事前に登録した人物を示す。災害時情報は、複数のユーザーに共通の災害用自動販売機場所に関する情報を更に含む。なお、表示部１４０への表示のためのデータは、予め記憶部１２０に記録されている。
【００２４】
次に、図６を参照して、災害時メニューにおいてネームプレート間通信が選択された場合の、ネームプレート１００の動作について説明する。図６は、ネームプレート間通信を説明する図である。
【００２５】
図６に示すように、制御部１１０は、他のネームプレート１５０と通信するように通信部１３０を制御する。他のネームプレート１５０は、ネームプレート１００のユーザーとは異なる他のユーザーが所持するネームプレートである。制御部１１０は、他のユーザーの名前を他のネームプレート１５０から取得するように、通信部１３０を制御する。
【００２６】
ユーザーは、ネームプレート間通信を利用して、自身が避難時に出会って安全が確認できた相手の情報を取得することができる。具体的には、ネームプレート１００にメッセージメニューを用意し、「これからｘｘに向かうつもり」、「ここｙｙに待機し続ける」のような相手のメッセージを選択可能とする。また、タイムスタンプ機能を用意し、相手のメッセージにタイムスタンプを付与する。これらの相手情報は、記憶部１２０に記録される。
【００２７】
次に、図７を参照して、災害時メニューにおいて連絡場所通信が選択された場合の、ネームプレート１００の動作について説明する。図７は、連絡場所通信を説明する図である。
【００２８】
図７に示すように、通信部１３０は、特定の連絡場所においてサーバーと通信する機能を有する。連絡場所とは、連絡用に予め指定された場所を示す。連絡場所としては、災害発生時であっても、エンジン発電機、太陽光発電、又はバッテリー駆動のような手段によって単独で電力を確保できる場所が好ましい。連絡場所は、例えば病院、市役所、コンビニエンスストア、公園を含む。
【００２９】
図７は、３つの連絡場所が指定された場合の例を示している。つまり、第１連絡場所サーバー３００，第２連絡場所サーバー３０１及び第３連絡場所サーバー３０２が予め設置されている。第１連絡場所サーバー３００〜第３連絡場所サーバー３０２は、インターネット３１０を介して互いに接続されている。
【００３０】
通信部１３０は、ユーザーが立ち寄った連絡場所において、第１連絡場所サーバー３００と通信する。第１連絡場所サーバー３００は、ネームプレート１００へのデータの書き込みと、ネームプレート１００からのデータの読み出しとが行える。第１連絡場所サーバー３００は、特に避難場所の変更を含む重要情報の変更があった場合には、記憶部１２０の中の対応する情報を更新する。災害担当者端末４００は、第１連絡場所サーバー３００においてユーザーの個人情報にアクセスする権限を与えられている。
【００３１】
ユーザーは、連絡場所において、記憶部１２０に記録されたデータの整理を行うことができる。例えば、ユーザーが既に避難場所に到着した場合には、避難場所のデータは不要となる。そこで、他に優先すべきデータがあれば、避難場所のデータは削除される。その結果、記憶部１２０の容量不足を回避することができる。
【００３２】
制御部１１０は、ユーザーが連絡場所に立ち寄ったことを示す情報を第１連絡場所サーバー３００へ送るように通信部１３０を制御する。また、制御部１１０は、ユーザーが他のユーザーに出会ったことを示す情報を第１連絡場所サーバー３００へ送るように通信部１３０を制御する。これらの情報は、安否情報として利用される。
【００３３】
制御部１１０は、事前に登録した人物Ｐの安否情報を第１連絡場所サーバー３００から取得するように通信部１３０を制御する。人物Ｐが自身の安否情報を第２連絡場所サーバー３０１に残している場合、第１連絡場所サーバー３００は、インターネット３１０を介して第２連絡場所サーバー３０１から人物Ｐの安否情報を取得する。よって、ネームプレート１００のユーザーは、事前に登録した人物Ｐの安否情報を第１連絡場所サーバー３００から取得することができる。
【００３４】
次に、図８を参照して、制御部１１０の処理について説明する。図８は、制御部１１０の処理の一例を示すフローチャートである。
【００３５】
ステップＳ１０１：制御部１１０は、親機２００との通信が途絶したか否かを判断する。親機２００との通信が途絶したと制御部１１０が判断した場合（ステップＳ１０１でＹＥＳ）には、制御部１１０の処理がステップＳ１０３へ進む。親機２００との通信が途絶していないと制御部１１０が判断した場合（ステップＳ１０１でＮＯ）には、制御部１１０の処理がステップＳ１０５へ進む。
【００３６】
ステップＳ１０３：制御部１１０は、動作モードとして災害時モードを選択する。その後、制御部１１０の処理がステップＳ１０１へ戻る。
【００３７】
ステップＳ１０５：制御部１１０は、動作モードとして通常時モードを選択する。その後、制御部１１０の処理がステップＳ１０１へ戻る。
【００３８】
ステップＳ１０１〜ステップＳ１０５の処理によれば、親機２００との通信が途絶したときに、災害が発生したものとして、ネームプレート１００の動作が通常時モードから災害時モードに切り換えられる。通常時モードにおいて、制御部１１０は、ユーザーの名前を表示するように表示部１４０を制御する。災害時モードにおいて、制御部１１０は、避難場所を示す情報を含む災害時情報を表示するように表示部１４０を制御する。
【００３９】
なお、通常時モードから災害時モードに切り換えられた直後は、強制的に、図４の第１個人情報表示がなされるのがよい。災害発生の直後に避難場所を示す情報が表示されるので、避難に好都合である。また、血液型を含む個人情報が表示されるので、救護の際の輸血に好都合である。ユーザーが図４の画面中のメニュースイッチ１０１を押下すると、図３の災害時メニュー画面に切り換わり、メニュー選択が可能になる。
【００４０】
実施形態によれば、インターネット３１０及び電力系統を含むインフラが被災した場合でも、避難場所を示す情報を含む災害時情報をネームプレート１００が表示することができる。
【００４１】
上記した実施形態の説明は、本発明における好適な実施形態を説明しているため、技術的に好ましい種々の限定を付している場合もあるが、本発明の技術範囲は、特に本発明を限定する記載がない限り、これらの態様に限定されるものではない。すなわち、上記実施形態における構成要素は適宜、既存の構成要素等との置き換えが可能であり、かつ、他の既存の構成要素との組合せを含む様々なバリエーションが可能である。上記実施形態の記載をもって、特許請求の範囲に記載された発明の内容を限定するものではない。
【産業上の利用可能性】
【００４２】
本発明は、ネームプレートの分野に利用可能である。
【符号の説明】
【００４３】
１００    ネームプレート
１１０    制御部
１２０    記憶部
１３０    通信部
１４０    表示部
１４５    タッチパネル
１５０    ネームプレート
２００    親機
３００    第１連絡場所サーバー
３０１    第２連絡場所サーバー
３０２    第３連絡場所サーバー
３１０    インターネット
４００    災害担当者端末
【図１】
2020052529.tif 000003
【図２】
2020052529.tif 000004
【図３】
2020052529.tif 000005
【図４】
2020052529.tif 000006
【図５】
2020052529.tif 000007
【図６】
2020052529.tif 000008
【図７】
2020052529.tif 000009
【図８】
2020052529.tif 000010